(57)【特許請求の範囲】
【請求項１】
アンテナを介し、ホスト端末との間でＩＣカードアプリケーションに対応した価値情報の書込み及び読出しを行う非接触ＩＣチップと、各種ＩＣカードアプリケーションで共用される表示制御プログラムが書き込まれ、前記非接触ＩＣチップ内に格納された価値情報を表示対象として読み出し、表示部に表示させる表示制御用チップと、前記価値情報が表示される表示部と、を搭載した表示機能付きＩＣカードの発行方法であって、
前記非接触ＩＣチップの特定の位置に前記価値情報の格納位置を表す格納位置データを書込む第１ステップと、
前記表示制御用チップに書き込まれている表示制御プログラムが、前記非接触ＩＣチップの前記特定の位置から前記格納位置データを読み込み、前記表示制御用チップのメモリ領域に書き込む第２ステップと、
を含むことを特徴とする表示機能付きＩＣカードの発行方法。
【請求項２】
前記第２ステップは、前記表示制御用チップの初回起動時に行われ、
前記第２ステップの終了後、前記表示制御用チップに書き込まれている表示制御プログラムが、前記非接触ＩＣチップに書き込まれている前記格納位置データを消去する第３ステップを更に含むことを特徴とする請求項１に記載の表示機能付きＩＣカードの発行方法。
【請求項３】
アンテナを介し、ホスト端末との間でＩＣカードアプリケーションに対応した価値情報の書込み及び読出しを行う非接触ＩＣチップと、各種ＩＣカードアプリケーションで共用される表示制御プログラムが書き込まれ、前記非接触ＩＣチップ内に格納された価値情報を表示対象として読み出し、表示部に表示させる表示制御用チップと、前記価値情報が表示される表示部と、を搭載した表示機能付きＩＣカードの表示方法であって、
前記価値情報の格納位置を表す格納位置データが特定の位置に予め書き込まれている前記非接触ＩＣチップから、前記表示制御用チップに書き込まれている表示制御プログラムが前記格納位置データを読み込み、前記表示制御用チップのメモリ領域に書き込む書込ステップと、
前記表示制御用チップが、前記格納位置データに基づいて前記非接触ＩＣチップから前記価値情報を読み込み、前記表示部に表示する表示ステップと、
を含むことを特徴とする表示機能付きＩＣカードの表示方法。
【請求項４】
前記書込ステップは、前記表示制御用チップの初回起動時に行われ、
前記表示ステップの終了後、前記表示制御用チップに書き込まれている表示制御プログラムが、前記非接触ＩＣチップに書き込まれている前記格納位置データを消去する消去ステップを更に含むことを特徴とする請求項３に記載の表示機能付きＩＣカードの表示方法。
【請求項５】
前記書込ステップは、前記表示制御用チップの起動の都度行われることを特徴とする請求項３に記載の表示機能付ＩＣカードの表示方法。
【請求項６】
アンテナを介し、ホスト端末との間でＩＣカードアプリケーションに対応した価値情報の書込み及び読出しを行う非接触ＩＣチップと、各種ＩＣカードアプリケーションで共用される表示制御プログラムが書き込まれ、前記非接触ＩＣチップ内に格納された価値情報を表示対象として読み出し、表示部に表示させる表示制御用チップと、前記価値情報が表示される表示部と、を搭載した表示機能付きＩＣカードであって、
前記非接触ＩＣチップの特定の位置に前記価値情報の格納位置を表す格納位置データを書込む第１書込手段と、
前記表示制御用チップに書き込まれている表示制御プログラムが、前記非接触ＩＣチップの前記特定の位置から前記格納位置データを読み込み、前記表示制御用チップのメモリ領域に書き込む第２書込手段と、
を備えることを特徴とする表示機能付きＩＣカード。
【請求項７】
前記第２書込手段は、前記表示制御用チップの初回起動時に前記格納位置データの読込み及び書込みを行い、
前記第２書込手段による前記格納位置データの書込みが終了すると、前記非接触ＩＣチップに書き込まれている前記格納位置データを消去する消去手段を更に備えることを特徴とする請求項６に記載の表示機能付きＩＣカード。
【請求項８】
前記第２書込手段は、前記表示制御用チップの起動の都度前記格納位置データの読込み及び書込みを行うことを特徴とする請求項６に記載の表示機能付きＩＣカード。
【発明の詳細な説明】
【技術分野】
【０００１】
本発明は、表示機能を備えたＩＣカードの発行方法や表示方法に関する。
【背景技術】
【０００２】
近年、ＩＣカード本体に表示機能を備えたものが開発されている。
一般的な表示機能付きＩＣカードは、ホスト端末に備えられたカードリーダ・ライタと通信を行うためのアンテナ及び非接触ＩＣチップと、非接触ＩＣチップ内の残高情報等のデータを表示部に表示させるための表示制御用チップとが内蔵されている。表示制御用チップは非接触ＩＣチップとＩＣカード内のインターフェース（例えば、ＩＳＯ７８１６規格に対応した接触インターフェース）を介して接続され、非接触ＩＣチップから表示データや必要に応じて電源を取得している。
【０００３】
また、残高情報等の各種ＩＣカードアプリケーションで使用するデータは、通常、非接触ＩＣチップ内のメモリの所定の格納位置に格納されている。しかし、この残高情報等の格納位置（アドレス、サイズ、構造、データ型等）は各ＩＣカードアプリケーションで異なっており、データ読み出し側（ホスト端末）でアドレス、サイズ、構造、データ型等の格納位置データを予め認識しておく必要があった。これに関して特許文献１に、ＩＣカード（非接触ＩＣチップ）を内蔵した移動機におけるＩＣカード内データのビューア機能について記載されている。特に、特許文献１の段落［００４２］〜［００４４］には移動機のビューアエンジンが、ＩＣカード（非接触ＩＣチップ）内の情報のアドレス、サイズ、構造、データ型等（上述の格納位置）が記述されたビューアスクリプトをサーバからダウンロードし、解釈実行することで、ＩＣカード（非接触ＩＣチップ）内の所定の格納位置から閲覧対象となるデータを読取り、表示させることが記載されている。
これを表示機能付きＩＣカードに応用するならば、表示制御用チップが非接触ＩＣチップの各ＩＣカードアプリケーションに対応したデータ格納位置の情報（アドレス、サイズ、構造、データ型等）を持つ必要がある。
【０００４】
ところで、近年はＩＣカードの使用態様が増大しつつあり、交通系、金融系、商業系、その他の各種ＩＣカードアプリケーションが開発されている。しかし各種ＩＣカードアプリケーションでデータ格納位置を統一する規則はない。そのため現状では、アプリケーション毎にデータ格納位置が異なっている。したがって、搭載するＩＣカードアプリケーション毎にそれぞれ異なるデータ格納位置の情報を表示制御用チップに持たせる必要があった。
【先行技術文献】
【特許文献】
【０００５】
【特許文献１】特開２００２−２１６０８１号公報
【発明の開示】
【発明が解決しようとする課題】
【０００６】
しかしながら、製造コスト、管理コストの観点からは、表示制御用チップを多様なアプリケーションで共用できることが好ましい。また、表示制御用チップはＩＣカード内部の非接触ＩＣチップの金銭等に関するデータ（電子マネー等の情報）を読み出すものであるため、いたずらに外部とのＩ／Ｆを持たせることは不適切である。そのためチップ実装後に表示制御用チップのプログラムやデータ等を外部からの作用で書き換えることは現実的に困難である。
【０００７】
本発明は、このような課題に鑑みてなされたもので、非接触ＩＣチップと表示制御用チップとを内蔵した表示機能付きＩＣカードにおいて、全てのＩＣカードアプリケーションで共用可能な表示制御用チップを用い、製造・管理コストを低減可能な表示機能付きＩＣカードの発行方法、表示方法、及び表示機能付きＩＣカードを提供することを目的とする。
【課題を解決するための手段】
【０００８】
前述した課題を解決するため第１の発明は、アンテナを介し、ホスト端末との間でＩＣカードアプリケーションに対応した価値情報の書込み及び読出しを行う非接触ＩＣチップと、各種ＩＣカードアプリケーションで共用される表示制御プログラムが書き込まれ、前記非接触ＩＣチップ内に格納された価値情報を表示対象として読み出し、表示部に表示させる表示制御用チップと、前記価値情報が表示される表示部と、を搭載した表示機能付きＩＣカードの発行方法であって、前記非接触ＩＣチップの特定の位置に前記価値情報の格納位置を表す格納位置データを書込む第１ステップと、前記表示制御用チップに書き込まれている表示制御プログラムが、前記非接触ＩＣチップの前記特定の位置から前記格納位置データを読み込み、前記表示制御用チップのメモリ領域に書き込む第２ステップと、を含むことを特徴とする表示機能付きＩＣカードの発行方法である。
【０００９】
ここで、価値情報とは表示対象とするデータである。価値情報は表示機能付きＩＣカードの用途により異なるが、例えば電子マネーの用途であれば残高情報、ポイント情報、電子チケット情報等、クレジットカードの用途であればクレジットカード情報等、交通系の用途であれば乗車券データ、残高データ等である。更に、使用履歴に関する履歴データも価値情報に含めてもよい。非接触ＩＣチップ内における価値情報の格納位置は、表示機能付きＩＣカードのＩＣカードアプリケーション（用途）に応じて異なる。
また、上述の各種ＩＣカードアプリケーションには、例えば、ＰＡＳＭＯ（登録商標）、Ｓｕｉｃａ（登録商標）、Ｅｄｙ（登録商標）が含まれる。表示制御用チップは、これらの各種ＩＣカードアプリケーションで共用される表示制御プログラムが搭載されるものとする。
【００１０】
第１の発明によれば、ＩＣカードアプリケーションを搭載した非接触ＩＣチップと、各種ＩＣカードアプリケーションで共用される表示制御用チップと、表示部とを有する表示機能付きＩＣカードにおいて、まず前記非接触ＩＣチップの特定の位置に前記価値情報の格納位置を表す格納位置データを書込み、第２ステップにおいて前記表示制御用チップに書き込まれている表示制御プログラムが、前記非接触ＩＣチップの前記特定の位置から前記格納位置データを読み込み、前記表示制御用チップのメモリ領域に書き込むことにより、表示機能付きＩＣカードを発行する。
【００１１】
従って、各種ＩＣカードアプリケーションで共用される表示制御用チップを用いて、各種アプリケーションに対応した価値情報を非接触ＩＣチップから読み出せるようになる。また、表示制御用チップに外部とのインターフェースを持たせなくても表示制御用チップ内に表示対象である価値情報の格納位置データを書き込むことができる。そのため、表示機能付きＩＣカードを発行するための設備は現状の機器を使用でき、表示制御用チップの製造コスト・管理コストを低減できる。外部とのインターフェースを持たないため、表示制御用チップに対する外部からの不正な操作を防御でき、表示機能付きＩＣカードの安全性を確保できる。
【００１２】
また、第１の発明において、前記第２ステップは、前記表示制御用チップの初回起動時に行われ、前記第２ステップの終了後、前記表示制御用チップに書き込まれている表示制御プログラムが、前記非接触ＩＣチップに書き込まれている前記格納位置データを消去する第３ステップを更に含むことが望ましい。
この場合、初回起動時に前記価値情報の格納位置データを非接触ＩＣチップから表示制御用チップに移動させることができる。次回起動時以降は、既に表示制御用チップ内に格納位置データを保持しているため、これを参照して円滑に表示対象とする価値情報を非接触ＩＣチップから取得して、表示部に表示させることが可能となる。また、非接触ＩＣチップから前記格納位置データが消去された状態、すなわち従来の表示機能付きＩＣカードと同様の状態で出荷することができる。そのため、ユーザが使用する際には、非接触ＩＣチップのメモリ容量を妨げることなく、通常通りに動作させることが可能となる。
【００１３】
第２の発明は、アンテナを介し、ホスト端末との間でＩＣカードアプリケーションに対応した価値情報の書込み及び読出しを行う非接触ＩＣチップと、各種ＩＣカードアプリケーションで共用される表示制御プログラムが書き込まれ、前記非接触ＩＣチップ内に格納された価値情報を表示対象として読み出し、表示部に表示させる表示制御用チップと、前記価値情報が表示される表示部と、を搭載した表示機能付きＩＣカードの表示方法であって、前記価値情報の格納位置を表す格納位置データが特定の位置に予め書き込まれている前記非接触ＩＣチップから、前記表示制御用チップに書き込まれている表示制御プログラムが前記格納位置データを読み込み、前記表示制御用チップのメモリ領域に書き込む書込ステップと、前記表示制御用チップが、前記格納位置データに基づいて前記非接触ＩＣチップから前記価値情報を読み込み、前記表示部に表示する表示ステップと、を含むことを特徴とする表示機能付きＩＣカードの表示方法である。
【００１４】
第２の発明によれば、価値情報の格納位置を表す格納位置データを予め保持させた状態の前記非接触ＩＣチップと、各種ＩＣカードアプリケーションで共用される表示制御用チップと、前記表示部とを搭載した表示機能付きＩＣカードにおいて、前記表示制御用チップに書き込まれている表示制御プログラムが前記非接触ＩＣチップから前記格納位置データを読み込み、読み込んだ前記格納位置データを前記表示制御用チップのメモリ領域に書き込み、前記格納位置データに基づいて前記非接触ＩＣチップから表示対象である前記価値情報を読み込み、前記表示部に表示する。
【００１５】
従って、各種ＩＣカードアプリケーションで共用される表示制御用チップを用いて、各種アプリケーションに対応した価値情報を非接触ＩＣチップから読み出し、ＩＣカードの表示部に表示できるようになる。また、表示制御用チップに外部とのインターフェースを持たせなくても表示制御用チップ内に表示対象である価値情報の格納位置データを書き込むことができる。そのため、表示機能付きＩＣカードを発行するための設備は現状の機器を使用でき、表示制御用チップの製造コスト・管理コストを低減できる。外部とのインターフェースを持たないため、表示制御用チップに対する外部からの不正な操作を防御でき、表示機能付きＩＣカードの安全性を確保できる。
【００１６】
また、第２の発明において、前記書込ステップは、前記表示制御用チップの初回起動時に行われ、前記表示ステップの終了後、前記表示制御用チップに書き込まれている表示制御プログラムが、前記非接触ＩＣチップに書き込まれている前記格納位置データを消去する消去ステップを更に含むことが望ましい。
この場合、初回起動時に前記価値情報の格納位置データを、非接触ＩＣチップから表示制御用チップに移動させることができる。次回起動時以降は、既に表示制御用チップ内に格納位置データを保持しているため、これを参照して円滑に表示対象データ（価値情報）を非接触ＩＣチップから取得して、表示部に表示させることが可能となる。また、非接触ＩＣチップから前記格納位置データが消去された状態、すなわち従来の表示機能付きＩＣカードと同様の状態で出荷することができる。そのため、ユーザが使用する際には、非接触ＩＣチップのメモリ容量を妨げることなく、通常通りに動作させることが可能となる。
【００１７】
また、第２の発明において、前記書込ステップは、前記表示制御用チップの起動の都度行われるようにしてもよい。
この場合は、表示制御用チップのメモリ容量を妨げることなく、表示動作の都度、非接触ＩＣチップから前記格納位置データを取得して、取得した格納位置データに基づいて非接触ＩＣチップから表示データ（価値情報）を読み出し、表示部に表示させることが可能となる。
【００１８】
第３の発明は、アンテナを介し、ホスト端末との間でＩＣカードアプリケーションに対応した価値情報の書込み及び読出しを行う非接触ＩＣチップと、各種ＩＣカードアプリケーションで共用される表示制御プログラムが書き込まれ、前記非接触ＩＣチップ内に格納された価値情報を表示対象として読み出し、表示部に表示させる表示制御用チップと、前記価値情報が表示される表示部と、を搭載した表示機能付きＩＣカードであって、前記非接触ＩＣチップの特定の位置に前記価値情報の格納位置を表す格納位置データを書込む第１書込手段と、前記表示制御用チップに書き込まれている表示制御プログラムが、前記非接触ＩＣチップの前記特定の位置から前記格納位置データを読み込み、前記表示制御用チップのメモリ領域に書き込む第２書込手段と、を備えることを特徴とする表示機能付きＩＣカードである。
【００１９】
第３の発明によれば、ＩＣカードアプリケーションを搭載した非接触ＩＣチップと、各種ＩＣカードアプリケーションで共用される表示制御用チップと、表示部とを有する表示機能付きＩＣカードにおいて、第１書込手段により前記非接触ＩＣチップの特定の位置に前記価値情報の格納位置を表す格納位置データを書込み、第２書込手段により前記表示制御用チップが前記非接触ＩＣチップの前記特定の位置から前記格納位置データを読み込んで前記表示制御用チップのメモリ領域に書き込む。
【００２０】
従って、各種ＩＣカードアプリケーションで共用される表示制御用チップを用いて、各種アプリケーションに対応した価値情報を非接触ＩＣチップから読み出せるようになる。また、表示制御用チップに外部とのインターフェースを持たせなくても表示制御用チップ内に価値情報の格納位置データを書き込むことができる。そのため、表示機能付きＩＣカードを発行するための設備は現状の機器を使用でき、表示制御用チップの製造コスト・管理コストを低減できる。外部とのインターフェースを持たないため、表示制御用チップに対する外部からの不正な操作を防御でき、表示機能付きＩＣカードの安全性を確保できる。
【００２１】
また、第３の発明において、前記第２書込手段は、前記表示制御用チップの初回起動時に前記格納位置データの読込み及び書込みを行い、前記第２書込手段による前記格納位置データの書込みが終了すると、前記非接触ＩＣチップに書き込まれている前記格納位置データを消去する消去手段を更に備えることが望ましい。
これにより、初回起動時に前記価値情報の格納位置データを、非接触ＩＣチップから表示制御用チップに移動させることができ、その後は、円滑に表示データ（価値情報）を非接触ＩＣチップから取得して、表示部に表示させることが可能となる。また、非接触ＩＣチップから前記格納位置データが消去された状態、すなわち従来の表示機能付きＩＣカードと同様の状態で流通させることができる。そのため、ユーザが使用する際には、非接触ＩＣチップのメモリ容量を妨げることなく、通常通りに動作させることが可能となる。
【００２２】
また、第３の発明において、前記第２書込手段は、前記表示制御用チップの起動の都度前記格納位置データの読込み及び書込みを行うようにしてもよい。
この場合は、表示制御用チップのメモリ容量を妨げることなく、表示動作の都度、非接触ＩＣチップから前記格納位置データを取得して、取得した格納位置データに基づいて非接触ＩＣチップから表示対象データ（価値情報）を読み出し、表示部に表示させることが可能となる。
【発明の効果】
【００２３】
本発明により、非接触ＩＣチップと表示制御用チップとを内蔵した表示機能付きＩＣカードにおいて、全てのＩＣカードアプリケーションで共用可能な表示制御用チップを用いることが可能となり、表示機能付きＩＣカードの製造・管理コストを低減できるようになる。
【図面の簡単な説明】
【００２４】
【図１】表示機能付きＩＣカード１の内部構成を示すブロック図
【図２】非接触ＩＣチップ２の内部構成を示すブロック図
【図３】表示制御用チップ４の内部構成を示すブロック図
【図４】表示機能付ＩＣカード１の製造から出荷までの流れの概略を説明するフローチャート
【図５】表示機能付ＩＣカード１の発行処理の流れを説明するフローチャート
【図６】発行処理前後のデータの保持例を示す図
【図７】表示機能付ＩＣカード１の表示処理の流れを説明するフローチャート
【発明を実施するための形態】
【００２５】
以下、図面に基づいて本発明の好適な実施形態について詳細に説明する。
図１及び図２は、本発明に係る表示機能付きＩＣカード１の構成を示すブロック図である。
図１に示すように、本発明に係る表示機能付きＩＣカード１は、非接触ＩＣチップ２、アンテナ３、表示制御用チップ４、ドライバ５、及びディスプレイ６を備える。また図示しないが、表示制御用チップ４、ドライバ５、ディスプレイ６に電源を供給するための電池が搭載されていてもよいし、ホスト端末（ＩＣカードリーダライタ）等の外部装置から電源を取り込み、表示制御用チップ４、ドライバ５、及びディスプレイ６に供給するための配線等が施されていてもよい。また、図示しないがディスプレイ６への表示動作を開始するためのユーザインターフェースとしてスイッチが設けられていてもよい。
【００２６】
また、非接触ＩＣチップ２と表示制御用チップ４とは、例えば、ＩＳＯ７８１６規格に対応した接触Ｉ／Ｆ（金属端子）を介して接続されており、表示制御用チップ４は非接触ＩＣチップ２から所望のデータを読み込むことが可能となっている。
【００２７】
図２に示すように、非接触ＩＣチップ２は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）２４、及びＩ／Ｆ２５等を備えて構成される。
【００２８】
ＣＰＵ２１は、ＲＯＭ２２またはＥＥＰＲＯＭ２４に格納されるプログラムをＲＡＭ２３上のワークメモリ領域に呼び出して実行する。ＲＯＭ２２は、読み出し専用のメモリであり、実行プログラムや暗号アルゴリズム等のプログラム、データ等を恒久的に保持する。ＲＡＭ２３は、ロードしたプログラムやデータを一時的に保持するとともに、ＣＰＵ２１が各種処理を行うために使用するワークエリアを備える。
【００２９】
ＥＥＰＲＯＭ２４は、データの書き換えが可能な不揮発性メモリであり、価値情報２４ａ及び格納位置データ２４ｂを保持する。
【００３０】
価値情報２４ａとは、本実施の形態において表示対象となるデータである。価値情報２４ａは、表示機能付きＩＣカード１の用途により異なるが、例えば電子マネーの用途であれば残高情報、ポイント情報、電子チケット情報等、クレジットカードの用途であればクレジットカード情報等、交通系の用途であれば乗車券データ、残高データ等である。更に、使用履歴、購入履歴等の履歴データも価値情報２４ａに含めてもよい。非接触ＩＣチップ２内における価値情報２４ａの格納位置は、表示機能付きＩＣカード１のアプリケーション（用途）に応じて異なる。上述のＩＣカードアプリケーションは、例えば、ＰＡＳＭＯ（登録商標）、Ｓｕｉｃａ（登録商標）、Ｅｄｙ（登録商標）等であり、非接触ＩＣカード２のＲＯＭ２２またはＥＥＰＲＯＭ２４に格納される。
【００３１】
格納位置データ２４ｂとは、価値情報２４ａの格納位置を特定するためのデータであり、アドレス、サイズ、構造、データ型等を含む。価値情報２４ａの格納位置は表示機能付きＩＣカード１の用途（アプリケーション）に応じて異なるため、個々のアプリケーションで異なる内容のデータとなる。ただし、格納位置データ２４ｂが格納される位置（アドレス、サイズ、構造、データ型等）はすべてのアプリケーションで同じ位置とし、表示制御用チップ４に予め登録されているものとする。
【００３２】
また、格納位置データ２４ｂは、後述する発行処理の前の段階では、図２に示すように非接触ＩＣチップ２のメモリ（ＥＥＰＲＯＭ２４）内の特定の位置に格納されているが、発行処理の際に表示制御用チップ４側に読み込まれ、表示制御用チップ４のメモリ領域（例えばＥＥＰＲＯＭ４４やＲＡＭ４３）に書き込まれる。
【００３３】
このように、非接触ＩＣチップ２のＩＣカードアプリケーションに利用されていないメモリ領域の特定位置に表示用データ（価値情報２４ａ）の格納位置を示すデータ（格納位置データ２４ｂ）をカード発行時に一時的に書き込む場合には、表示制御プログラム４４ａが初回起動時に格納位置データ２４ｂを表示制御用チップ４のメモリに記録するときに、非接触ＩＣカード２から格納位置データ２４ｂを削除した方が好ましい。
これは、出荷後は、一般に流通する従来の非接触ＩＣチップ２のデータ構成と同じデータ構成とすることが望ましいからである。非接触ＩＣチップ２内の格納位置データ２４ｂを消去すれば、非接触ＩＣチップ２のメモリ容量を従来品と同様に確保でき、また格納位置データ２４ｂの外部からの盗用や不正な使用を防いで、セキュリティ上の危惧をなくすことができる。
ただし、非接触ＩＣチップ２内の格納位置データ２４ｂを消去せずに流通させることを妨げるものではない。
【００３４】
Ｉ／Ｆ２５は、非接触ＩＣカード用のインターフェイスであり、例えばＩＳＯ１８０９２規格に基づくものである。非接触ＩＣチップ２のＣＰＵ２１は、Ｉ／Ｆ２５及び図１のアンテナ３を介して、外部のホスト端末との間で情報を送受信する。アンテナ３は、基板内を周回してその両端が非接触ＩＣチップ２に接続される。
【００３５】
図３に示すように、非接触ＩＣチップ２は、ＣＰＵ４１、ＲＯＭ４２、ＲＡＭ４３、ＥＥＰＲＯＭ４４、及びＩ／Ｆ４５等を備えて構成される。
【００３６】
ＣＰＵ４１は、ＲＯＭ４２またはＥＥＰＲＯＭ４４に格納されるプログラムをＲＡＭ４３上のワークメモリ領域に呼び出して実行する。ＲＯＭ４２は、読み出し専用のメモリでありプログラム、データ等を恒久的に保持する。ＲＡＭ４３は、ロードしたプログラムやデータを一時的に保持するとともに、ＣＰＵ４１が各種処理を行うために使用するワークエリアを備える。
【００３７】
ＥＥＰＲＯＭ４４は、データの書き換えが可能な不揮発性メモリであり、表示制御プログラム４４ａを保持する。
ただし、後述する発行処理後は、図６（ｂ）に示すように、非接触ＩＣチップ２側の格納位置データ２４ｂが表示制御用チップ４のＣＰＵ４１により読み込まれて、ＥＥＰＲＯＭ４４に格納される。
【００３８】
表示制御プログラム４４ａは、非接触ＩＣチップ２から表示対象である価値情報２４ａを読み込んで、ディスプレイ６に表示させるためのプログラムであり、表示制御用チップ４の起動時にＣＰＵ４１により読み込まれて、実行される。
表示制御プログラム４４ａには、ＣＰＵ４１が、非接触ＩＣチップ２から価値情報２４ａの格納位置を表す格納位置データ２４ｂを読込み、読込んだ格納位置データ２４ｂを表示制御用チップ４のメモリ領域（ＥＥＰＲＯＭ４４またはＲＡＭ４３）に書込み、更に、ＣＰＵ４１が、読込んだ格納位置データ２４ｂに基づいて非接触ＩＣチップ２から価値情報２４ａを読込み、ディスプレイ６に表示する手順が含まれる。
【００３９】
この表示制御プログラム４４ａは、表示機能付きＩＣカード１の初回起動時（例えば、検査工程における動作確認時）、または表示動作の都度、実行される。
初回起動時に実行される場合、表示制御プログラム４４ａには、表示制御用チップ４が非接触ＩＣチップ２から格納位置データ２４ｂを読み込むと、読み込んだ格納位置データ２４ｂを例えば不揮発性メモリ（ＥＥＰＲＯＭ４４）に書き込み、その後、非接触ＩＣチップ２内の格納位置データ２４ｂを消去するように記述されることが望ましい。
【００４０】
或いは、格納位置データ２４ｂの書込み先を揮発性メモリ（ＲＡＭ４３）としてもよい。この場合は、表示制御プログラム４４ａは、起動の都度、非接触ＩＣチップ２から格納位置データ２４ｂを取り込み、揮発性メモリ（ＲＡＭ４３）に格納するように記述される。ただし、ＲＡＭ４３に対して常時電源を供給可能な構成（例えば、表示機能付きＩＣカード１に電池を搭載する）とすれば、ＲＡＭ４３に取り込んだ格納位置データ２４ｂは消去されないため、非接触ＩＣチップ２の格納位置データ２４ｂを消去してしまってもよい。
【００４１】
Ｉ／Ｆ４５は、表示機能付きＩＣカード１の内部で非接触チップ２と表示制御用チップ４とを接続するためのインターフェースであり、例えばＩＳＯ７８１６規格に基づく接触通信用モジュール端子（Ｖｃｃ：回路電圧、ＲＳＴ：リセット信号、ＣＬＫ：クロック信号、ＲＦＵ：将来利用、ＧＮＤ：グランド、Ｖｐｐ：書込み供給電圧Ｉ／Ｏ：データ入出力信号、ＲＦＵ：将来利用を含む）等を使用する。表示制御チップ４は、Ｉ／Ｆ４５を介して非接触ＩＣチップ２から表示データ（表示対象とする価値情報２４ａを含む）を読み込む。または、電源を取得するようにしてもよい。ただし、Ｉ／Ｆ４５は外部に露出するものではなく、図示しない外装フィルムにより被覆されるものとする。
【００４２】
ドライバ５及びディスプレイ６（表示部）は、表示制御用チップ４から出力される表示データ（例えば、価値情報２４ａ）を表示する。
ディスプレイ６には、例えば液晶ディスプレイや電子ペーパを採用でき、文字や画像等の表示データが表示される。特に、電子ペーパは、電力の供給が絶えても表示状態が維持され、かつ薄く可撓性に優れるため好適である。電子ペーパは、電子粉流体の場合は、黒文字と白地の２色表示となり、コレステリック液晶の場合は、緑文字と黒字の２色表示またはカラー表示を行える。また、電子ペーパの電力消費は表示書き換え時のみ行われ、書き換えられた表示画面は電力消費なしで保持でき、また、ディスプレイの視認性も確保できる。
ドライバ５は、ディスプレイ６を駆動するための駆動回路である。
本明細書では、ディスプレイ６及びドライバ５を含めて表示部と表現する。
【００４３】
次に、図４〜図７を参照して動作を説明する。
図４は本発明に係る表示機能付きＩＣカード１の製造及び発行の全体の流れを説明するフローチャート、図５は発行処理の流れを説明するフローチャート、図６は発行処理前後の表示機能付きＩＣカード１内のデータの保持例を示す図である。
【００４４】
まず、図４を参照して、本発明に係る表示機能付きＩＣカード１の発行の流れを説明する。
まず、非接触ＩＣチップ２、アンテナ３、表示制御用チップ４、ドライバ５、及びディスプレイ６等の各部がＩＣカードの基板上に実装され、必要な配線が施される（ステップＳ１）。この工程は、従来の表示機能付きＩＣカードの製造工程と同様である。
【００４５】
ただし、非接触ＩＣチップ２のＥＥＰＲＯＭ２４の所定の格納位置には、価値情報２４ａの格納位置を特定するための格納位置データ２４ｂが書き込まれている。また、表示制御用チップ４のＥＥＰＲＯＭ４４またはＲＯＭ４２には、表示制御プログラム４４ａが書き込まれている。表示制御プログラム４４ａには、少なくとも初回起動時には、非接触ＩＣチップ２の所定位置に格納されている格納位置データ２４ｂを読み込み、表示制御チップ４の所定のメモリ領域に書き込むことが記述されている。
【００４６】
基板への各部の実装や配線が施されると、基板の表裏が外装フィルムで被覆され、また外装フィルムと基板の各層間は、エポキシ系またはウレタン系等の液状の樹脂が充填され、接着・硬化されて、表示機能付きＩＣカード１の発行前状態となる。
【００４７】
ステップＳ１が終了すると、発行処理が開始される（ステップＳ２）。
発行処理は、表示制御用チップ４への電源投入をトリガとして開始される。例えば出荷前の動作確認時に行われる。発行処理において、電源を供給するために、例えば、電池（不図示）のスイッチボタン（不図示）を押下したり、ＩＣカードリーダライタ（不図示）にかざして、非接触ＩＣチップ２側から電源を供給してもよい。
【００４８】
図５に発行処理の流れを示す。
また、発行処理実行前の段階での、データの保持例を図６（ａ）に示す。
図６（ａ）に示すように、発行処理前は、非接触ＩＣチップ２内に格納位置データ２４ｂが格納されている。
【００４９】
発行処理において表示制御チップ４のＣＰＵ４１は、ＥＥＰＲＯＭ４４またはＲＯＭ４２から表示制御プログラム４４ａを読み出し、処理を開始する。
表示制御用チップ４のＣＰＵ４１は、非接触ＩＣチップ２から格納位置データ２４ｂを読み込む。格納位置データ２４ｂの格納位置は、表示制御チップ４の表示制御プログラム４４ａ、ＲＯＭ４２、またはＥＥＰＲＯＭ４４に予め登録されている（ステップＳ２１）。
【００５０】
次に、表示制御用チップ４のＣＰＵ４１は、読み込んだ格納位置データ２４ｂを表示制御用チップ４のメモリ領域に書き込む。格納位置データ２４ｂを書き込むメモリ領域としては、例えば、ＥＥＰＲＯＭ４４、ＲＡＭ４２等が挙げられるが、図５の流れではＥＥＰＲＯＭ４４とする（ステップＳ２２）。
その後、表示制御用チップ４のＣＰＵ４１は、非接触ＩＣチップ２に対して、格納位置データ２４ｂの消去コマンドを送り、非接触ＩＣチップ２内の格納位置データ２４ｂを消去する（ステップＳ２３）。
【００５１】
発行処理が終了すると、図６（ｂ）に示すように、表示制御用チップ４内に格納位置データ２４ｂが格納（移動）され、非接触ＩＣチップ２から消去される。
【００５２】
以上のように、図５の発行処理（図４のステップＳ２）が終了すると、引き続き表示検査が行われる（ステップＳ３）。
表示検査では、表示制御用チップ４のＣＰＵ４１は、非接触ＩＣチップ２に対して価値情報２４ａを読み出すためのデータ読み出しコマンドを生成し、送信する。データ読み出しコマンドには、ＥＥＰＲＯＭ４４に書き込んだ格納位置データ２４ｂに定義されるアドレス、サイズ、構造、データ型等の読み出し位置を特定する情報が記述される。データ読み出しコマンドに従って、非接触ＩＣチップ２側で価値情報２４ａが読み出され、レスポンスが返送される。表示制御用チップ４は取得したレスポンスから表示データを生成し、ドライバ５へ送出し、ディスプレイ６に表示させる。このとき、価値情報２４ａがディスプレイ６に表示されれば、検査合格となる。表示検査の段階（ステップＳ３）では、通常は、表示機能付きＩＣカード１は未使用であるため、例えば「残高０円」のような表示内容となる。
検査合格の場合は、他の検査工程を経た後、出荷の段階へ移行する（ステップＳ４）。
【００５３】
出荷後は、ユーザに使用されることとなる。ユーザが非接触ＩＣチップ２に書き込まれた価値情報２４ａをディスプレイ６に表示させる場合は、例えば、スイッチ等を押下して表示制御用チップ４に電源を供給する。すると、表示制御用Ｉチップ４のＣＰＵ４１は、表示制御用チップ４のＥＥＰＲＯＭ４４に書き込まれている格納位置データ２４ｂを読み出し、この格納位置データ２４ｂに基づくデータ読み出しコマンドを生成し、非接触ＩＣチップ２へ送信する。データ読み出しコマンドに従って、非接触ＩＣチップ２側で価値情報２４ａが読み出され、レスポンス（価値情報２４ａを含む）が返送される。表示制御用チップ４は取得したレスポンス（価値情報２４ａを含む）から表示データを生成し、ディスプレイ６に表示させる。
【００５４】
以上説明したように、本実施の形態において、表示対象である価値情報２４ａの格納位置を表す格納位置データ２４ｂを予め保持させた状態の非接触ＩＣチップ２と、各種ＩＣカードアプリケーションで共用される表示制御用チップ４と、表示部（ドライバ５及びディスプレイ６）とを基板に実装して、表示機能付きＩＣカード１を製造する。その後の発行処理において、表示制御用チップ４は非接触ＩＣチップ２から格納位置データ２４ｂを読み込み、読み込んだ格納位置データ２４ｂを表示制御用チップ４のメモリ領域に書き込む。
【００５５】
この発行処理を行うことにより、表示機能付きＩＣカード１は、各種ＩＣカードアプリケーションに対応した格納位置データ２４ｂを表示制御用チップ４側に保持させることができる。そのため、実装時に各アプリケーションで共用の表示制御用チップ４を用いても、発行後は各種アプリケーションに対応した価値情報２４ａを非接触ＩＣチップ２から読み出せるようになる。また、表示制御用チップ４に外部とのインターフェースを持たせなくても表示制御用チップ４内に価値情報２４ａの格納位置データ２４ｂを書き込むことができる。そのため、表示機能付きＩＣカード１を発行するための設備は現状の機器を使用でき、表示制御用チップ４の製造コスト・管理コストを低減できる。表示制御用チップ４に外部とのインターフェースを持たせる必要もないため、外部からの不正な操作を防御でき、表示機能付きＩＣカード１の安全性を確保できる。
【００５６】
また、表示制御用チップ４による非接触ＩＣチップ２からの格納位置データ２４ｂの読込みと書込みは、表示制御用チップ４の初回起動時に行われ、書込み終了後、表示制御用チップ４が、非接触ＩＣチップ２に書き込まれている格納位置データ２４ｂを消去するようにしてもよい。
この場合、初回起動時に価値情報２４ａの格納位置データ２４ｂを、非接触ＩＣチップ２から表示制御用チップ４に移動させることができる。次回起動時以降は、既に表示制御用チップ４内に格納位置データ２４ｂを保持しているため、これを参照して円滑に表示対象データ（価値情報２４ａ）を非接触ＩＣチップ２から取得して、ディスプレイ６に表示させることが可能となる。また、非接触ＩＣチップ２から格納位置データ２４ｂが消去された状態、すなわち従来の表示機能付きＩＣカードと同様の状態で出荷することができる。そのため、ユーザが使用する際には、非接触ＩＣチップ２のメモリ容量を妨げることなく、通常通りに動作させることが可能となる。
【００５７】
また、出荷後は、表示制御用チップ４に書き込まれた格納位置データ２４ｂに基づいて非接触ＩＣチップ２から価値情報２４ａを読み出し、ディスプレイ６へ表示することが可能となる。
【００５８】
各種ＩＣカードアプリケーションによって表示用データ（価値情報）のアドレス（格納位置）は異なっており、表示制御用チップ４が表示用データを取得するためには、従来はＩＣカードアプリケーション毎に表示制御用チップ４の表示制御プログラム４４ａを変更しなければならなかった。このため、表示機能付きＩＣカード１及び表示制御プログラム４４ａの管理作業が増大していた。しかし、本発明によれば、カード発行時にＩＣカードアプリケーションの種類によらず、非接触ＩＣチップ２のメモリの特定位置に表示用データ（価値情報）のアドレス（格納位置）を記録しておけばよいため、表示制御プログラム４４ａをＩＣカードアプリケーション毎に変更しなくても表示用データのアドレスを取得できるようになる。
【００５９】
［第２の実施の形態］
次に、図７を参照して、第２の実施の形態の表示機能付きＩＣカード１について説明する。
第２の実施の形態では、図６（ａ）に示す状態で表示機能付きＩＣカード１を出荷する例について説明する。
すなわち、表示機能付きＩＣカード１は、非接触ＩＣチップ２のＥＥＰＲＯＭ２４に格納位置データ２４ｂを格納し、表示制御用チップ４には格納位置データ２４ｂを持たない状態で出荷されてもよい。
【００６０】
この場合、図７に示すように、表示制御用チップ４のＣＰＵ４１は、電源が供給される都度（すなわち起動の都度）、非接触ＩＣチップ２から格納位置データ２４ｂを読み込み（ステップＳ３１）、読み込んだ格納位置データ２４ｂを表示制御用チップ４の揮発性メモリ（ＲＡＭ４３）に格納する（ステップＳ３２）。また、読み込んだ格納位置データ２４ｂに基づくデータ読み出しコマンドを生成し、非接触ＩＣチップ２へ送信する。データ読み出しコマンドに従って、非接触ＩＣチップ２のＣＰＵ２１は価値情報２４ａを読み出し、レスポンス（価値情報２４ａを含む）を返送する。表示制御用チップ４は取得したレスポンス（価値情報２４ａを含む）から表示データを生成し、ディスプレイ６に表示させる（ステップＳ３３）。
【００６１】
第２の実施の形態の表示機能付きＩＣカード１によれば、表示機能が起動される都度、非接触ＩＣカード２における価値情報２４ａの格納位置データ２４ｂを取得する。このため、表示制御用チップ４側で格納位置データ２４ｂを保持する必要がないためメモリ容量を妨げることない。非接触ＩＣチップ２から格納位置データ２４ｂを取得して、取得した格納位置データ２４ｂに基づいて非接触ＩＣチップ２から表示対象データ（価値情報２４ａ）を読み出し、ディスプレイ６に表示させることが可能となる。起動の都度、このような表示制御処理を行うようにすれば、製造工程において特別な発行処理を行わなくても、各種アプリケーションで共用可能な表示制御用チップ４を搭載できる。例えば、第２の実施の形態の表示機能付きＩＣカード１をある程度使用した後に表示制御用チップ４のみが破損した場合でも、本実施の形態の手順で表示制御処理を行っていれば、表示制御用チップ４のみを交換すればよく、非接触ＩＣチップ２内の価値情報２４ａは元のままであるので、使用することも可能であるので好適である。
【００６２】
以上、第１及び第２の実施の形態に係る表示機能付きＩＣカード１の発行方法または表示方法によれば、全てのＩＣカードアプリケーションで共用可能な表示制御用チップ４を用いて表示機能付きＩＣカード１を製造（発行）できるため、製造・管理コストを低減できる。また、表示制御用チップ４に格納位置データ２４ｂを保持させるためのインターフェースや特別な設備を設ける必要がないため、セキュリティも確保できる。
【００６３】
なお、上述の実施の形態では、１つの基板内に、アンテナ３、非接触ＩＣチップ２、表示制御用チップ４、ドライバ５、ディスプレイ６等を実装する例を示したが、上述の各部を複数の基板に分けて実装し、各基板を積層した構造の表示機能付きＩＣカードにも適用できる。また、図４に示す製造から出荷までの流れは一例であり、製造の段階で発行処理を組み込んでもよい。例えば、チップ等を実装後、外装フィルムを被覆する前の段階等で上述の発行処理を行うようにしてもよい。
その他、当業者であれば、本願で開示した技術的思想の範疇内において、各種の変更例または修正例に想到し得ることは明らかであり、それらについても当然に本発明の技術的範囲に属するものと了解される。
【符号の説明】
【００６４】
１・・・・・・表示機能付きＩＣカード
２・・・・・・非接触ＩＣチップ
３・・・・・・アンテナ
４・・・・・・表示制御用チップ
５・・・・・・ドライバ
６・・・・・・ディスプレイ
２４ａ・・・・価値情報
２４ｂ・・・・格納位置データ
４４ａ・・・・表示制御プログラム
【図１】
0005510249.tif 000002
【図２】
0005510249.tif 000003
【図３】
0005510249.tif 000004
【図４】
0005510249.tif 000005
【図５】
0005510249.tif 000006
【図６】
0005510249.tif 000007
【図７】
0005510249.tif 000008